(57)【要約】【課題】基板の上側から見て容易にコネクタと基板が適正な接続状態に到達しているかどうかを判断することのできる基板用コネクタ装置を提供する。【解決手段】上面に多数の電極２０１が配置された基板２００と、基板２００の上面に底面を押し付けた状態でスライドし、所定量だけスライドした上で基板に固定されるコネクタハウジング１１と、コネクタハウジングに収容され、コネクタハウジングがスライドした際にコネクタハウジングの底面に露出した先端接触部を基板の上面の各電極２０１にそれぞれ擦りながら接触導通する多数の端子と、コネクタハウジングを、係合凸部が通過孔を通過可能な初期位置に向けて付勢するバネ４０と、コネクタハウジングが初期位置にあるか接続完了位置にあるかをコネクタハウジングとの位置関係により目視判定するための枠体５０と、を備える。【選択図】図１
2013045574.tif 000002
【特許請求の範囲】
【請求項１】
上面に多数の電極が配置された基板と、
該基板に貫通形成された一定方向に延びる係合溝と、
該係合溝の長さ方向の一端に設けられた係合溝の溝幅よりも幅広の通過孔と、
前記係合溝の他端の近傍の前記基板の下面に設けられたロック凹部と、
前記基板の上面に底面を押し付けた状態で前記基板に沿った一定方向にスライドさせられ、所定量だけスライドさせられた上で前記基板に固定されるコネクタハウジングと、
該コネクタハウジングに収容され、該コネクタハウジングが前記基板に沿った一定方向にスライドさせられた際に、該コネクタハウジングの底面に露出した先端接触部を前記基板の上面の各電極にそれぞれ擦りながら接触導通する多数の端子と、
前記コネクタハウジングの底面に突設され前記係合溝をスライド可能な係合脚と、
該係合脚の下端に設けられ、前記係合溝の溝幅より幅広で前記通過孔を通過可能な係合凸部と、
該係合凸部の上面に設けられ、前記通過孔を通過して前記基板の下面側に抜けた前記係合凸部を前記係合溝の他端側にスライドさせたとき、該係合溝の周縁の前記基板の下面に摺動することで、前記係合脚を介して前記コネクタハウジングに基板に対する押し付け力を付与する押え面と、
前記端子の先端接触部が前記基板の上面の電極に適正に接触導通する接続完了位置まで前記コネクタハウジングがスライドさせられたとき、前記基板の下面のロック凹部と係合することで、前記係合脚を介して前記コネクタハウジングをロックするロック突起と、
前記コネクタハウジングを、前記係合凸部が通過孔を通過可能な初期位置に向けて付勢するバネと、
前記コネクタハウジングが初期位置にあるか接続完了位置にあるかをコネクタハウジングとの位置関係により目視判定するための判定基準手段と、
を備えていることを特徴とする基板用コネクタ装置。
【請求項２】
前記コネクタハウジングの底面が矩形状に形成され、その底面の四隅に前記係合脚が設けられると共に、前記基板に各係合脚に対応するよう前記係合溝が形成されていることを特徴とする請求項１に記載の基板用コネクタ装置。
【請求項３】
前記判定基準手段として、一対の側壁とこれら両側壁を繋ぐ連結壁とを有すると共に前記両側壁間に前記コネクタハウジングを収容する凹所を有した平面視コ字状の枠体が前記基板の上面に着脱可能に固定され、その枠体の前記連結壁と前記コネクタハウジングの該連結壁と対向する外側面との間に前記バネが介装され、さらに前記枠体の両側壁と該両側壁に対向するコネクタハウジングの両外側面との間に、前記コネクタハウジングの移動を案内すると共に移動範囲を規制するガイド機構が設けられ、前記枠体の側壁の先端と前記コネクタハウジングのスライド方向の後端の位置関係によりコネクタハウジングが初期位置にあるか接続完了位置にあるかを判断可能としたことを特徴とする請求項１又は２に記載の基板用コネクタ装置。
【発明の詳細な説明】
【技術分野】
【０００１】
本発明は、基板の表面に配置した複数の電極とコネクタに内装した複数の端子とを接触導通させることで、基板とコネクタを電気接続する基板用コネクタ装置に関する。
【背景技術】
【０００２】
多数の端子の先端と基板の表面に設けられた多数の電極との電気接続を同時に行うことのできるコネクタが知られており、特にその中で、基板の電極の表面に酸化膜などが形成されている場合に酸化膜を端子の先端で擦り取りながら（ワイピングしながら）電気接続するコネクタが特許文献１などにおいて知られている。
【０００３】
特許文献１に記載のコネクタは、基板の所定の取付位置に取り付けられるハウジングと、そのハウジングから突出して基板の表面の電極に接触する端子と、ハウジングを基板に取り付けるときに最初の段階でハウジングを取付位置から横にずれた位置に保持し、次に取り付けを進めた段階でハウジングを横にずれた位置から取付位置に摺動させる機構とを含み、摺動の際に端子と電極を擦り合わせることでそれらの接触面の酸化膜を除去するようにしたものである。
【先行技術文献】
【特許文献】
【０００４】
【特許文献１】特開２０１０−１５３１５６号公報
【発明の概要】
【発明が解決しようとする課題】
【０００５】
ところが、特許文献１に記載のコネクタでは、基板の表面の電極と端子との摺動量を大きくとれないことから、ワイピング機能を十分に発揮できない懸念があった。
【０００６】
［本願発明の先行技術］
そこで、本発明者らは、図１５および図１６に示すように、基板２００にコネクタ１０を矢印Ｃに示すように装着し、コネクタハウジング１１の底面に突設した係合脚２１を基板２００に形成した係合溝２２１に係合させた状態で、コネクタ１０を基板２００に沿って矢印Ａ方向にスライドさせることにより、コネクタハウジング１１の端子収容室１５の内部に装着した端子（図示略）の先端接触部を基板２００の上面の電極２０１に摺動させ、それによりワイピング機能を発揮しながら端子と電極２０１を電気接続するようにしたコネクタ装置を案出した。
【０００７】
この場合、基板２００側の係合部２２０を構成する係合溝２２１の一端には通過孔２２２が設けられ、係合孔２２１の他端の近傍の周縁にはロック孔２２３が設けられている。また、コネクタハウジング１１側の係合部２０を構成する係合脚２１の下端には、係合溝２２１の溝幅より幅広で通過孔２２２を通過可能な係合凸部２２が設けられ、係合凸部２２の上面には、通過孔２２２を通過して基板２００の下面側に抜けた係合凸部２２を係合溝２２１の他端側にスライドさせたとき、係合溝２２１の周縁の基板２００の下面に摺動することで、係合脚２１を介してコネクタハウジング１１に基板２００に対する押し付け力を付与する傾斜面（押え面）２４とフラット面（押え面）２５が設けられている。
【０００８】
また、フラット面２５には、端子の先端接触部が基板２００の上面の電極２２１に適正に接触導通する接続完了位置までコネクタハウジング１１がスライドさせられたとき、基板２００のロック孔２２３と係合することで、係合脚２１を介してコネクタハウジング１１をロックするロック突起２３が設けられている。
【０００９】
このような構成において、コネクタ１０を基板２００に接続する場合、まず、コネクタ１０の底面から突出した係合脚２１を基板２００側の係合溝２２１の通過孔２２２に位置合わせし、コネクタ１０を矢印Ｃのように基板２００に向けて押し付けることで、通過孔２２２に係合凸部２２を通過させる。係合凸部２２が基板２００の下面側に抜けたら、その状態でコネクタ１０を矢印Ａ方向に基板２００に沿ってスライドさせる。そうすると、係合凸部２２の上面に設けた傾斜面２４やフラット面２５が基板２００の下面に順番に摺動することで、係合脚２１を介してコネクタ１０に基板２００に対する押し付け力が付与され、その状態でコネクタ１０内の端子の先端接触部が基板２００の上面に沿ってスライドし、端子の先端接触部が基板２００の上面の電極２０１に擦りながら接触導通する。適正な接触導通状態が達成された段階で、係合凸部２２の上面のロック突起２３が基板２００のロック孔２２３に係合することで、コネクタハウジング１１がロックされ、コネクタ１０と基板２００の電気接続が達成される。
【００１０】
このコネクタ装置によれば、端子と電極との間に十分な摺動量を確保できるので、端子と電極の接触導通性の信頼を高めることができる。
【００１１】
しかし、このコネクタ装置では、接続完了時にロック突起２３が基板２００の下側にあるため、コネクタ１０と基板２００が適正に接続されたかどうかの確認が困難であり、コネクタ１０と基板２００の接続が完全でない状態（いわゆる半嵌合の状態）のまま放置される懸念が残る。
【００１２】
本発明は、上述した事情に鑑みてなされたものであり、その目的は、基板の上側から見て容易にコネクタと基板が適正な接続状態に到達しているかどうかを判断することのできる基板用コネクタ装置を提供することにある。
【課題を解決するための手段】
【００１３】
本発明の上記目的は、下記の構成により達成される。
（１）  上面に多数の電極が配置された基板と、
該基板に貫通形成された一定方向に延びる係合溝と、
該係合溝の長さ方向の一端に設けられた係合溝の溝幅よりも幅広の通過孔と、
前記係合溝の他端の近傍の前記基板の下面に設けられたロック凹部と、
前記基板の上面に底面を押し付けた状態で前記基板に沿った一定方向にスライドさせられ、所定量だけスライドさせられた上で前記基板に固定されるコネクタハウジングと、
該コネクタハウジングに収容され、該コネクタハウジングが前記基板に沿った一定方向にスライドさせられた際に、該コネクタハウジングの底面に露出した先端接触部を前記基板の上面の各電極にそれぞれ擦りながら接触導通する多数の端子と、
前記コネクタハウジングの底面に突設され前記係合溝をスライド可能な係合脚と、
該係合脚の下端に設けられ、前記係合溝の溝幅より幅広で前記通過孔を通過可能な係合凸部と、
該係合凸部の上面に設けられ、前記通過孔を通過して前記基板の下面側に抜けた前記係合凸部を前記係合溝の他端側にスライドさせたとき、該係合溝の周縁の前記基板の下面に摺動することで、前記係合脚を介して前記コネクタハウジングに基板に対する押し付け力を付与する押え面と、
前記端子の先端接触部が前記基板の上面の電極に適正に接触導通する接続完了位置まで前記コネクタハウジングがスライドさせられたとき、前記基板の下面のロック凹部と係合することで、前記係合脚を介して前記コネクタハウジングをロックするロック突起と、
前記コネクタハウジングを、前記係合凸部が通過孔を通過可能な初期位置に向けて付勢するバネと、
前記コネクタハウジングが初期位置にあるか接続完了位置にあるかをコネクタハウジングとの位置関係により目視判定するための判定基準手段と、
を備えていることを特徴とする基板用コネクタ装置。
【００１４】
（２）  前記コネクタハウジングの底面が矩形状に形成され、その底面の四隅に前記係合脚が設けられると共に、前記基板に各係合脚に対応するよう前記係合溝が形成されていることを特徴とする上記（１）に記載の基板用コネクタ装置。
【００１５】
（３）  前記判定基準手段として、一対の側壁とこれら両側壁を繋ぐ連結壁とを有すると共に前記両側壁間に前記コネクタハウジングを収容する凹所を有した平面視コ字状の枠体が前記基板の上面に着脱可能に固定され、その枠体の前記連結壁と前記コネクタハウジングの該連結壁と対向する外側面との間に前記バネが介装され、さらに前記枠体の両側壁と該両側壁に対向するコネクタハウジングの両外側面との間に、前記コネクタハウジングの移動を案内すると共に移動範囲を規制するガイド機構が設けられ、前記枠体の側壁の先端と前記コネクタハウジングのスライド方向の後端の位置関係によりコネクタハウジングが初期位置にあるか接続完了位置にあるかを判断可能としたことを特徴とする上記（１）又は（２）に記載の基板用コネクタ装置。
【００１６】
上記（１）の構成の基板用コネクタ装置によれば、端子の先端接触部と基板の電極とが擦り合いながら接触導通するので、接触面の酸化膜を除去することができて、接触信頼性を確保することができる。また、バネがコネクタハウジングを常に初期位置に付勢しているので、接続完了位置にコネクタハウジングが移動してロック突起とロック凹部が完全に係合していない状態の場合、コネクタハウジングが初期位置に押し戻される。従って、判定基準手段に対するコネクタハウジングの位置を基板の上側から目視することで、容易に端子と電極が適正な接続状態に到達しているかどうかを検出することができる。また、適正に接続が完了した状態においても、コネクタ１０は常にバネ４０によって初期位置に向けて付勢されているので、コネクタ１０のガタ付きを防止することができる。
【００１７】
上記（２）の構成の基板用コネクタ装置によれば、コネクタハウジングの矩形状の底面の四隅に係合脚が設けられているので、安定してコネクタハウジングをスライドさせることができると共に安定して基板に固定することができる。
【００１８】
上記（３）の構成の基板用コネクタ装置によれば、コ字状の枠体を判定基準手段として用いており、その両側壁とコネクタハウジングの両外側面との間にコネクタハウジングの移動を案内するガイド機構を設けているので、コネクタハウジングを安定してスムーズにスライドさせることができる。また、枠体を基板に着脱自在としている上にガイド機構にコネクタハウジングの移動範囲を規制する機能を持たせているので、コネクタハウジングとバネと枠体を予め脱落しないように組み立てておき、その状態で基板に装着することができ、組み付けの容易化を図ることができる。
【発明の効果】
【００１９】
本発明によれば、端子の先端接触部と基板の電極とが擦り合いながら接触導通するので、接触面の酸化膜を除去することができて、接触信頼性を確保することができる。また、バネがコネクタハウジングを常に初期位置に付勢しているので、接続完了位置にコネクタハウジングが移動してロック突起とロック凹部が完全に係合していない状態の場合、コネクタハウジングが初期位置に押し戻されることにより、基板の上側から見て容易にコネクタと基板が適正な接続状態に到達していないことを検出することができ、不完全な接続状態のまま見逃される事態を回避することができる。また、バネを設けたことにより、接続完了状態でのコネクタのガタ付きを防止することができる。
【図面の簡単な説明】
【００２０】
【図１】本発明の実施形態のコネクタ装置の分解斜視図である。
【図２】同コネクタ装置を構成するコネクタハウジングの斜視図およびその部分拡大図である。
【図３】同コネクタ装置を構成する基板の斜視図およびその部分拡大図である。
【図４】前記コネクタハウジングに内装される端子の構成図で、図４（ａ）は分解斜視図、図４（ｂ）は組立状態を示す斜視図である。
【図５】前記コネクタハウジングに内装された端子の固定構造を示す断面図である。
【図６】前記コネクタと枠体とバネを組み合わせた部品の斜視図である。
【図７】図６の部品を基板に初期組み付けした状態を示す平面図である。
【図８】図７のＶＩＩＩ−ＶＩＩＩ矢視断面図およびその部分拡大図である。
【図９】図７のように初期組み付けした状態からコネクタをスライドし始めた状態を示す斜視図である。
【図１０】図９の状態の時の図８と同部分を示す断面図およびその部分拡大図である。
【図１１】コネクタを接続完了位置までスライドさせたときの状態を示す平面図である。
【図１２】図１１のＸＩＩ−ＸＩＩ矢視断面図およびその部分拡大図である。
【図１３】図１１のＸＩＩＩ−ＸＩＩＩ矢視断面図およびその部分拡大図である。
【図１４】コネクタが基板に適正に接続されているかどうかを判断するための比較図で、（ａ）はコネクタが適正に接続されずにバネによって初期位置に戻されたときの平面図、（ｂ）はコネクタが適正に接続を完了して接続完了位置に固定されているときの平面図である。
【図１５】本発明者らが先に案出したコネクタ装置の接続前の斜視図である。
【図１６】同コネクタ装置の構成図で、図１６（ａ）は基板にコネクタを装着した初期の段階を示す斜視図、図１６（ｂ）は基板に対しコネクタをスライドさせた接続完了時の状態を示す斜視図である。
【発明を実施するための形態】
【００２１】
以下、本発明の実施形態を図面を参照して説明する。
図１は実施形態のコネクタ装置の分解斜視図、図２は同コネクタ装置を構成するコネクタハウジングの斜視図およびその部分拡大図、図３は同コネクタ装置を構成する基板の斜視図およびその部分拡大図である。
【００２２】
図１に示すように、このコネクタ装置は、上面に多数の電極２０１が配置された基板２００と、基板２００の上面に底面を押し付けた状態で基板２００に沿った一定方向（矢印Ａ方向）にスライドさせられ、所定量だけスライドさせられた上で基板２００に固定される樹脂製のコネクタハウジング１１と、コネクタハウジング１１の上面から底面に貫通する端子収容室１５にそれぞれ収容され、コネクタハウジング１１が基板２００に沿った矢印Ａ方向にスライドさせられた際に、コネクタハウジング１１の底面に露出した先端接触部１２１（図５参照）を基板２００の上面の各電極２０１にそれぞれ擦りながら接触導通する多数の端子１００と、コネクタハウジング１１を後述する初期位置に付勢するコイル状のバネ４０と、一対の側壁５２とこれら両側壁５２を繋ぐ連結壁５１とを有すると共に両側壁５２間にコネクタハウジング１１を収容する凹所５６を有した平面視コ字状の枠体５０と、から構成されている。なお、コネクタ１０は、コネクタハウジング１１に必要個数の端子１００を組み込むことで構成されている。
【００２３】
コネクタハウジング１１と基板２００には、これらを相互に固定するための互いに係合する係合部２０、２２０が設けられており、コネクタハウジング１１側の係合部２０には、図２に示すように、係合脚２１と、係合凸部２２と、ロック突起２３と、傾斜面２４と、フラット面２５とが設けられている。また、基板２００側の係合部２２０には、図３に示すように、一定溝幅の係合溝２２１と、通過孔２２２と、ロック凹部２２３とが設けられている。
【００２４】
図３を用いて基板２００側の係合部２２０について詳しく述べると、基板２００には、コネクタハウジング１１の矩形状の底面の四隅に対応して４つの係合溝２２１が貫通形成されている。これらの係合溝２２１は、一定方向（矢印Ａ、Ｂ方向）に揃って延びており、各係合溝２２１の長さ方向の一端（矢印Ｂ方向の端部）には、係合溝２２１の溝幅よりも幅広の矩形の通過孔２２２が設けられている。また、係合溝２２１の他端（矢印Ａ方向の端部）の近傍にはロック孔２２３が貫通形成されている。ロック孔２２３は、必ずしも孔でなくてもよく、基板２００の下面に設けられたロック凹部でもよい。ここで、Ａ方向は、コネクタハウジング１１を基板２００に固定するときのスライド方向であり、Ｂ方向は、その反対方向である。
【００２５】
そして、基板２００の上面の電極２０１は、４つの係合溝２２１で囲まれた領域に配列されている。また、図１および図３に示すように、これら電極２０１や係合溝２２１などが形成された領域に対しＡ方向に隣接する位置には、枠体５０の下面に突設した断面Ｌ字形の２つの固定突起５４を着脱自在にそれぞれ係合するＬ字形の２つの固定孔２１０が貫通形成されている。
【００２６】
また、図２を用いてコネクタハウジング１１側の係合部２０について詳しく述べると、コネクタハウジング１１の矩形状の底面の四隅には各係合溝２２１をスライド可能な係合脚２１が突設され、各係合脚２１の下端には、係合溝２２１の溝幅より幅広で通過孔２２２を通過可能な係合凸部２２が設けられている。また、係合凸部２２の上面には、通過孔２２２を通過して基板２００の下面側に抜けた係合凸部２２を係合溝２１の他端（矢印Ａ方向の端部）側にスライドさせたとき、係合溝２２１の周縁の基板２００の下面に摺動することで、係合脚２１を介してコネクタハウジング１１に基板２００に対する押し付け力を付与する押え面としての傾斜面２４とフラット面２５とが、Ａ方向から見てこの順番に設けられている。
【００２７】
また、Ａ方向から見て後側にあるフラット面２５には、端子１００の先端接触部１２１（後述）が基板２００の上面の電極２０１に適正に接触導通する接続完了位置までコネクタハウジング１１がスライドさせられたときに、基板２００のロック孔２２３と係合することで、係合脚２１を介してコネクタハウジング１１をロックするロック突起２３が設けられている。
【００２８】
図４はコネクタハウジング１１に内装される端子１００の構成図で、図４（ａ）は分解斜視図、図４（ｂ）は組立状態を示す斜視図、図５はコネクタハウジング１１に内装された端子１００の固定構造を示す断面図である。
【００２９】
端子１００は、図４（ａ）、図４（ｂ）に示すように、端子本体１１０と接触子１２０の２部品の組み合わせで構成されており、端子本体１１０は、前部に角筒状の箱部１１１を有すると共に、その後側に繋ぎ部１１２を介して、電線の導体加締部１１３と被覆加締部１１４を有しており、後方に延びる電線の先端に取り付けられる。
【００３０】
また、接触子１２０は、端子本体１１０の箱部１１１の内部に先端開口１１１ａより挿入されるもので、後端係合片１２３を箱部１１１の壁に設けた係合孔１１１ｂに係止することで、先端接触部１２１を、箱部１１１の前端よりも長手方向スライド自在に突出させている。そして、先端接触部１２１と後端係合片１２３の間に形成されたバネ部１２２のバネ性により、先端接触部１２１を突出方向に付勢している。この先端接触部１２１は、基板２００の表面に配列された電極２０１に接触導通する部分であり、図５に示すように、端子１００がコネクタハウジング１１の端子収容室１５に収容されて、ランス１７と係合段部１６により適正に位置決めされた状態で、コネクタハウジング１１の底面より自然状態で突出している。なお、ランス１７は箱部１１１の後端に係合することで端子１００の上方への移動を規制し、係合段部１６は箱部１１１の切り起こし片１１６に係合することで端子１００の下方への移動を規制している。
【００３１】
図６はコネクタ１０と枠体５０とバネ４０を組み合わせた部品の斜視図、図７はその部品を基板に初期組み付けした状態を示す平面図、図８は図７のＶＩＩＩ−ＶＩＩＩ矢視断面図およびその部分拡大図である。
【００３２】
枠体５０は、コネクタハウジング１１が初期位置にあるか接続完了位置にあるかをコネクタハウジング１１との位置関係により目視判定するための判定基準手段であり、図６に示すように、下面に突設した２つの固定突起５４を基板２００に形成した２つの固定孔２１０にそれぞれ差し込むことで、基板１００に着脱自在に固定できるようになっている。この枠体５０の凹所５６（図１参照）の中にコネクタ１０が挿入されており、枠体５０の連結壁５１とコネクタハウジング１１の連結壁５１と対向する外側面との間に、コネクタ１０を矢印Ｂ方向に付勢するバネ４０が圧縮状態で介装されている。なお、バネ４０は、一端が連結壁５１に設けた受座５７に支持され、他端がコネクタハウジング１１の外側面に設けた受座１３に支持されることで、脱落しないように保持されている。
【００３３】
また、枠体５０の両側壁５２と該両側壁５２に対向するコネクタハウジング１１の両外側面との間には、コネクタハウジング１１の移動を案内すると共に移動範囲を規制するガイド機構としてのボス１２とガイド溝５３とが設けられている。ここでは、コネクタハウジング１１の各外側面にそれぞれ矢印Ａ、Ｂ方向に間隔をあけて２つの円柱状ボス１２が突設され、枠体５０の側壁５２に２つのボス１２の間隔より長い長さのガイド溝が矢印Ａ、Ｂ方向に沿って形成されている。そして、２つのボス１２がガイド溝５３にスライド自在に挿入されることで、ガイド機構が構成されており、コネクタハウジング１１は、ボス１２がガイド溝５３の矢印Ｂ方向の端部に当たる位置を初期位置として、バネ４０によりその初期位置に付勢されている。ここでは、図７に示すように、この初期位置にコネクタハウジング１１が位置するとき、コネクタハウジング１１の矢印Ｂ方向の端部と枠体５の側壁５２の先端５２ａの位置が一致するように設定されている。
【００３４】
次にコネクタ１０を基板２００に接続する際の作用を説明する。
コネクタ１０には予め枠体５０とバネ４０が組み付けられている。そこで、まず、枠体５０の固定突起５４を基板２００の固定孔２１０に差し込むことで、枠体５０を固定する。その際、同時に、図８に示すように、初期位置にあるコネクタ１０の係合脚２１を、基板２００に設けた係合溝２２１の一端の通過孔２２２に位置合わせし、コネクタ１０を基板２００側に矢印Ｃのように押し付けることで、係合凸部２２を通過孔２２２を通して基板２００の下面に差し込む。
【００３５】
次に、図９、図１０に示すように、コネクタ１０を矢印Ａ方向にスライドさせる。そうすると、係合凸部２２の上面に設けた傾斜面２４やフラット面２５が基板２００の下面に順番に摺動することで、係合脚２１を介してコネクタ１０に基板２００に対する押し付け力が付与され、その状態でコネクタ１０内の端子１００の先端接触部１２１が基板２００の上面に沿ってスライドし、端子１００の先端接触部１２１が基板２００の上面の電極２０１に擦りながら接触導通する。図１１〜図１３に示すように、適正な接触導通状態が達成された段階で、係合凸部２２の上面のロック突起２３が基板２００のロック孔２２３に係合することで、コネクタ１０がロックされて、コネクタ１０と基板２００の電気接続が達成される。このように、端子１００の先端接触部１２１と基板２００の電極２０１とが擦り合いながら接触導通するので、接触面の酸化膜を除去することができて、接触信頼性を確保することができる。また、接続完了状態においても、コネクタ１０は常にバネ４０によって初期位置に向けて付勢されているので、コネクタ１０のガタ付きを防止することができる。
【００３６】
また、バネ４０がコネクタ１０を常に初期位置に付勢しているので、接続完了位置にコネクタ１０が移動してロック突起２３とロック孔２２３が完全に係合していない状態の場合、コネクタ１０が初期位置に押し戻される。従って、枠体５０に対するコネクタハウジング１１の位置を基板２００の上側から目視することで、容易に端子１００と電極２０１が適正な接続状態に到達しているかどうかを検出することができる。つまり、図１４（ａ）に示すように、コネクタハウジング１１の矢印Ａ方向における後端と枠体５０の側壁５２の先端５２ａとの間に隙間Ｓがない場合（Ｓ＝０）は、コネクタ１０が初期位置にある（接続未完了の状態にある）と判断することができるし、所定の大きさの隙間Ｓがあいている場合は、コネクタ１０が接続完了状態にあると判断することができる。従って、基板２００の上側から見て容易にコネクタ１０と基板２００が適正な接続状態に到達していないことを検出することができるため、不完全な接続状態のまま見逃される事態を回避することができる。
【００３７】
また、本実施形態のコネクタ装置によれば、コネクタハウジング１１の矩形状の底面の四隅に係合脚２１が設けられているので、安定してコネクタハウジング１１をスライドさせることができると共に安定して基板２００に固定することができる。
【００３８】
また、本実施形態のコネクタ装置によれば、コ字状の枠体５０を判定基準手段として用いており、その両側壁５２とコネクタハウジング１１の両外側面との間にコネクタハウジング１１の移動を案内するガイド機構（ボス１２とガイド溝５３）を設けているので、コネクタハウジング１１を安定してスムーズにスライドさせることができる。また、枠体５０を基板２００に着脱自在としている上にガイド機構（ボス１２とガイド溝５３）にコネクタハウジング１１の移動範囲を規制する機能を持たせているので、コネクタ１０とバネ４０と枠体５０を予め脱落しないように組み立てておき、その状態で基板２００に装着することができ、組み付けの容易化を図ることができる。
【００３９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４０】
例えば、上記実施形態では、枠体５０にガイド溝５３を設け、コネクタハウジング１１にボス１２を設けた場合を示したが、逆に設けてもよい。
【符号の説明】
【００４１】
１０  コネクタ
１１  コネクタハウジング
１２  ボス（ガイド機構）
１５  端子収容室
２１  係合脚
２２  係合凸部
２３  ロック突起
２４  傾斜面（押え面）
２５  フラット面（押え面）
４０  バネ
５０  枠体（判定基準手段）
５１  連結壁
５２  側壁
５３  ガイド溝（ガイド機構）
１００  端子
１２１  先端接触部
２００  基板
２０１  電極
２２１  係合溝
２２２  通過孔
２２３  ロック孔（ロック凹部）
【図１】
2013045574.tif 000003
【図２】
2013045574.tif 000004
【図３】
2013045574.tif 000005
【図４】
2013045574.tif 000006
【図５】
2013045574.tif 000007
【図６】
2013045574.tif 000008
【図７】
2013045574.tif 000009
【図８】
2013045574.tif 000010
【図９】
2013045574.tif 000011
【図１０】
2013045574.tif 000012
【図１１】
2013045574.tif 000013
【図１２】
2013045574.tif 000014
【図１３】
2013045574.tif 000015
【図１４】
2013045574.tif 000016
【図１５】
2013045574.tif 000017
【図１６】
2013045574.tif 000018